(57)【特許請求の範囲】
【請求項１】
一端が上面に金属板を有するＩＣカードのソケットコンタクトに嵌入され他端がプリント配線基板の回路端子に接続される複数のピンコンタクトが植設された連結部を有し、該連結部の両側に前記ＩＣカードの挿入ガイド部が形成され、かつ前記プリント配線基板にねじ止め等により装着する係止部を備えた略Ｈ型形状のピンコネクタに、
一方の側縁に該ピンコネクタの前記挿入ガイド部に前記ＩＣカードが挿入されたとき該ＩＣカードの前記上面金属板に接触するように前記ＩＣカードの挿入側空間部に臨むように横長に形成された接触用ばね片と、
他方の側縁に前記ピンコンタクトの内の接地用ピンコンタクトを上方から挟持するように圧入溝が設けられて板厚方向に折り曲げられて形成された接地用ばね片と、
前記ピンコネクタの前記係止部に係合して前記プリント配線基板に該ピンコネクタと共にねじ止め等により装着される取付孔を有する固定用舌片とを備えた接地用板状ばね部材を装着して構成されたＩＣカード用コネクタ。
【請求項２】
前記接地用板状ばね部材の接触用ばね片が、複数の分離された接触用ばね片として櫛歯状に形成された請求項１記載のＩＣカード用コネクタ。
【請求項３】
前記ピンコネクタの係止部を、該ピンコネクタの上面から埋没するように段差部を設けて形成すると共に、前記接地用板状ばね部材の固定用舌片を前記ピンコネクタの段差部に係合するよう形成されたクランク状折曲部の先端に形成するようにした請求項１又は２記載のＩＣカード用コネクタ。
【発明の詳細な説明】
【０００１】
【発明の属する技術分野】
本発明は、ＩＣカードやメモリーカードなどを電子回路に接続収容するピンコンタクトを有するＩＣカード用コネクタに関するものである。
【０００２】
【従来の技術】
ＩＣカードやメモリーカードには幾つかの種類があるが、本発明はピンコンタクトが挿入されるソケットコンタクトを有するＩＣカード等に適用されるＩＣカード用コネクタに関するもので、通常ピンコネクタの名称で呼ばれているものである。図４に一例としてピンコネクタ１を、ＩＣカードの一部と共に示すように、略Ｈ型形状のフレーム２の中央連結部３にピンコンタクト４，５が２段にそれぞれ複数個植設されている。また、フレーム２の両側の枠体６のＩＣカード７の挿入側にはガイド溝８がそれぞれ設けられ、その反対側の係止部６１には図示しないプリント配線基板にフレーム２をねじ或いはロックピン等で装着，固定するための取付孔９がそれぞれ設けられている。フレーム２の中央連結部３に植設されている複数のピンコンタクト４，５の一端は、ＩＣカード７のソケットコンタクト１０に挿入し得ようにそれぞれ突出しており、その他端はプリント配線基板の回路端子に接続されるように、略９０°折曲げられて、フレーム２の底面より若干突出するように設けられている。
図５は、ピンコネクタ１にＩＣカード７が装着された状態を示す図４のＡ−Ａ部断面図で、ピンコンタクト４，５の一端である突出部が、ＩＣカード７のソケットコンタクト１０に挿入され回路接続が行われるものである。このＩＣカード７の両面には、通常静電気の影響を防止するために金属板が貼られている。
【０００３】
【発明が解決しようとする課題】
しかしながら、前述したピンコネクタ１に金属板の貼ってあるＩＣカード７を装着した状態でも、ＩＣカード７と他の通信装置との間で、情報又はデータ等の伝送をハイスピードで行った場合にはノイズが発生し、エラーが発生する不具合があったり、またピンコネクタ１にＩＣカード７を装着する際に生じる静電気によって、ＩＣカード内のＩＣやメモリーが破壊されることがあり、ＩＣカードの取扱いに注意を要すると共に、ＩＣカード用コネクタに尚一層の改善が望まれていた。
本発明は、ピンコネクタを改善することにより、ＩＣカードのノイズの発生を防止すると共に、静電気によってＩＣやメモリーが破壊されないようにしたものである。
【０００４】
【課題を解決するための手段】
本発明によるＩＣカード用コネクタは、一端が上面に金属板を有するＩＣカードのソケットコンタクトに嵌入され他端がプリント配線基板の回路端子に接続される複数のピンコンタクトが植設された連結部を有し、該連結部の両側に前記ＩＣカードの挿入ガイド部が形成され、かつ前記プリント配線基板にねじ止め等により装着する係止部を備えた略Ｈ型形状のピンコネクタに、
一方の側縁に該ピンコネクタの前記挿入ガイド部に前記ＩＣカードが挿入されたとき該ＩＣカードの前記上面金属板に接触するように前記ＩＣカードの挿入側空間部に臨むように横長に形成された接触用ばね片と、他方の側縁に前記ピンコンタクトの内の接地用ピンコンタクトを上方から挟持するように圧入溝が設けられて板厚方向に折り曲げられて形成された接地用ばね片と、前記ピンコネクタの前記係止部に係合して前記プリント配線基板に該ピンコネクタと共にねじ止め等により装着される取付孔を有する固定用舌片とを備えた接地用板状ばね部材を装着して構成されたものである。
【０００５】
【発明の実施の形態】
図１は、本発明によるＩＣカード用コネクタの一実施例を示すもので、前述した図４及び図５に示したピンコネクタ１に、接地用板状ばね部材１１を上面から装着することによって構成されたものである。
この接地用板状ばね部材１１は、ピンコンタクト４の内の接地用のピンコンタクト４a ，４b を、その上方から挟持する圧入溝１２が設けられて板厚方向に折り曲げられて形成された接地用ばね片１３a ，１３b と、ピンコネクタ１のＩＣカード挿入側空間部１４に臨むように、かつその先端部が湾曲状に屈曲形成された複数の接触用ばね片１５と、ピンコネクタ１のプリント配線基板への固定用の取付孔９と一致する係止孔１６を有する固定用舌片１７とを備えている。
【０００６】
この接地用板状ばね部材１１のピンコネクタ１への装着は、接地用ばね片１３a ，１３b をピンコンタクト４a ，４b に圧入して挟持することにより仮止め装着とし、ピンコネクタ１をプリント配線基板に固定する際、係止孔１６を取付孔９に重ね合せて一緒に固定するものである。図２は、ピンコネクタ１に接地用板状ばね部材１１を装着すると共に、そのピンコネクタ１にＩＣカード７を挿入した状態の断面図を示したものである。即ち、この状態では接地用板状ばね部材１１の接触用ばね片１５がＩＣカード７の上面金属板に接触し、接地用ばね片１３a ，１３b が接地端子であるピンコンタクト４a ，４b に接触していることにより、ＩＣカード７の金属板は接地されることになり、外部ノイズを拾うことが防止されると共に静電気の発生も抑制され、ＩＣカード７の破損を防ぐことができる。
【０００７】
なお、この実施例では接地用板状ばね部材１１の接触用ばね片１５を、複数に分離した櫛歯状に形成してあるが、分離させないで一体形状にしてもよい。また、接地用板状ばね部材１１の材質は、リン青銅板或いはベリリウム銅板などのばね性を有する導体板が適している。
また、フレーム２の材質は、半田付け時の耐熱性が要求されるので、ＰＢＴ（ポリブチレンテレフタレート），ＰＥＴ（ポリエチレンテレフタレート），４６ＰＡ（ナイロン），６６ＰＡ（ナイロン），ＰＰＳ（ポリフェニレンサルファイド），ＬＣＰ（液晶ポリマー）などの電気絶縁性のプラスチックが挙げられるが，コストや成形性を考慮するとＰＢＴが好ましい。
【０００８】
また、ピンコンタクト４は、一般的にＩＣカード７と接触する接触部と、フレーム２の中央連結部３に固定される固定部と、プリント配線基板に接続されるテール部の３部から構成されており、フレーム２へは圧入等によって保持・固定される。この材質は、良導電性であるリン青銅，ベリリウム銅，黄銅など挙げられるが、加工性や導電性を考慮すると黄銅が好ましい。ピンコンタクトのテール部の形状としては、本実施例ではＬ形デップタイプのものを示したが、面実装タイプやストレートデップタイプでもよい。また、本実施例ではピンコンタクトを上下２段配置したものを示したが、１列に設けたものでもよい。
本発明の対象であるピンコネクタの大きさは、長さが約５７mm，幅が約３５mm，厚みが約７mmである。幅寸法は、芯数やピッチによって変化するので、これらの要求により適宜設計する。なお、本実施例の場合の芯数及びピッチは、６８芯で１．２７mmピッチである。
【０００９】
【実施例】
図３は本発明の他の実施例を示すもので、ピンコネクタ２１は、その係止部６１の取付孔部を段差部２２を設けた切欠部２３として形成し、このピンコネクタ２１に装着される接地用板状ばね部材２４の左右の固定用舌片２５は、クランク状折曲部２６の先端に形成したものである。従って、クランク状折曲部２６の内面部２７が、ピンコネクタ２１の切欠部２３の内側起立部２８に係合するため、左右のクランク状折曲部２６を内側に若干撓ませて形成することによって、接地用ばね片１３a ，１３b とピンコンタクト４a ，４b との挟持力と共に、この部分による係止力とにより仮止め装着をより確実に行うことができる。
【００１０】
【発明の効果】
以上詳細に説明したように、本発明はＩＣカードをプリント配線基板に構成された電子回路にピンコネクタを介して接続する際、ＩＣカードの上面の金属板が接地用板状ばね部材を通して接地されるため、情報又はデータ等のハイスピード伝送時生じるノイズによるエラー発生を防止することができる。また、ピンコネクタにＩＣカードを装着する際に生じる静電気によって、ＩＣカード内のＩＣやメモリーが破壊されることも防止されるなどの効果を奏するものである。
【図面の簡単な説明】
【図１】本発明の一実施例である接地用板状ばね部材とピンコネクタとの両者を分離して示した斜視図である。
【図２】図１の接地用板状ばね部材をピンコネクタに装着して、ＩＣカードを挿入した状態の断面図である。
【図３】本発明の他の実施例である接地用板状ばね部材とピンコネクタとの両者を分離して示した斜視図である。
【図４】従来のピンコネクタを説明する斜視図である。
【図５】図４に示したピンコネクタにＩＣカードを挿入した状態の断面図である。
【符号の説明】
１，２１  ピンコネクタ
２  フレーム
３  中央連結部
４，５  ピンコンタクト
６  枠体
７  ＩＣカード
８  ガイド溝
９  取付孔
１０  ソケットコンタクト
１１，２４  接地用板状ばね部材
１２  圧入溝
１３  接地用ばね片
１４  空間部
１５  接触用ばね片
１６  係止孔
１７，２５  固定用舌片
２２  段差部
２３  切欠部
２６  クランク状折曲部
２７  内面部
２８  内側起立部
【図１】
0003715720.tif 000002
【図２】
0003715720.tif 000003
【図３】
0003715720.tif 000004
【図４】
0003715720.tif 000005
【図５】
0003715720.tif 000006